(57)【要約】 【課題】  付属品ケースの底部の一部を使用せずに付属品の浮上を防止することが可能な哺乳瓶消毒器を提供することを目的とする。【解決手段】    本発明の哺乳瓶消毒器１は、開口部７を横に向けた横置状態と、前記開口部７を上に向けた縦置状態とが選択可能な消毒容器２と、前記開口部７から前記消毒容器２内に挿入可能な哺乳瓶トレー６と、前記哺乳瓶Ｂの口部に差し込まれて該哺乳瓶Ｂを保持する差込部を有する哺乳瓶保持板と、を具備し、前記哺乳瓶トレー６の前記消毒容器１に対する挿入方向前端部２３には、前記哺乳瓶保持板３０を前記差込部３２が前記哺乳瓶トレー６の挿入方向後端部２４を向くようにして取付可能な第１の保持板取付部２１ａ，２２ａが設けられ、前記哺乳瓶トレー６の前記挿入方向後端部２４には、前記消毒容器２の前記開口部７の少なくとも一部を閉じるようにして前記哺乳瓶保持板３０を取付可能な第２の保持板取付部２１ｂ，２２ｂが設けられている。【選択図】      図２
2007061452.tif 000002
【特許請求の範囲】
【請求項１】
開口部を横に向けた横置状態と、前記開口部を上に向けた縦置状態とが選択可能な消毒容器と、
前記開口部から前記消毒容器内に挿入可能な哺乳瓶トレーと、
前記哺乳瓶の口部に差し込まれて該哺乳瓶を保持する差込部を有する哺乳瓶保持板と、を具備し、
前記哺乳瓶トレーの前記消毒容器に対する挿入方向前端部には、前記哺乳瓶保持板を前記差込部が前記哺乳瓶トレーの挿入方向後端部を向くようにして取付可能な第1の保持板取付部が設けられ、前記哺乳瓶トレーの前記挿入方向後端部には、前記消毒容器の前記開口部の少なくとも一部を閉じるようにして前記哺乳瓶保持板を取付可能な第２の保持板取付部が設けられている、ことを特徴とする哺乳瓶消毒器。
【請求項２】
前記消毒容器の底面の前記横置状態で上となる部分に、内方に向って突き出した凸部を備えたことを特徴とする請求項１に記載の哺乳瓶消毒器。
【請求項３】
前記消毒容器が平坦な底面と、側面と、前記底面と前記側面との間に設けられた湾曲面と、を備え、該湾曲面の外面の一部に平坦部が設けられ、該平坦部に水切り穴が形成されていることを特徴とする請求項１又は２に記載の哺乳瓶消毒器。
【請求項４】
前記水切り穴の周囲に壁部が設けられていることを特徴とする請求項１〜３のいずれか１項に記載の哺乳瓶消毒器。
【請求項５】
前記開口部から、前記哺乳瓶トレーと並ぶようにして前記消毒容器内に挿入可能な付属品ケースを更に有することを特徴とする請求項１〜４のいずれか１項に記載の哺乳瓶消毒器。
【発明の詳細な説明】
【技術分野】
【０００１】
本発明は、哺乳瓶を収容して消毒するための哺乳瓶消毒器に関し、特に電子レンジでの消毒及び薬液での消毒の両方に使用可能な哺乳瓶消毒器に関するものである。
【背景技術】
【０００２】
哺乳瓶の消毒には、薬液内に哺乳瓶を浸して消毒する薬液消毒と、哺乳瓶を加熱する加熱消毒とがある。この加熱消毒としては、従来、熱湯で煮沸する沸騰消毒が行われていたが、手間がかかる等の問題から、近年、電子レンジを使用し、マイクロ波と蒸気との両方で哺乳瓶を消毒する手法が用いられている。そして、薬液消毒と電子レンジでの消毒との両方で使用可能な哺乳瓶消毒器も存在する（例えば、特許文献１参照）。
【０００３】
この両使用可能な哺乳瓶消毒器は、哺乳瓶を収納する収納空間を有する消毒容器と、その消毒容器の内面に挿着される哺乳瓶トレーと、乳首やフードを入れるための付属品ケースと、消毒容器内で哺乳瓶を固定するために用いられる、哺乳瓶の口部に差し込む差込部を有する哺乳瓶固定部材とを備えている。そして哺乳瓶消毒器を電子レンジで使用する場合、消毒容器を横置状態にし、哺乳瓶トレーの挿入方向前端部に哺乳瓶固定部材を取り付け、哺乳瓶を哺乳瓶トレー上に載置して差込部に哺乳瓶を差し込み、当該哺乳瓶トレー及び哺乳瓶を消毒容器内に挿入し、消毒容器の収納空間の上部にできる隙間に付属品ケースを挿入して電子レンジでの消毒を行う。一方、薬液消毒時には、消毒容器を縦置状態にして哺乳瓶及び付属品を薬液内に浸すが、この場合、付属品は付属品ケースに入れずにそのまま薬液に入れられ、プラスチックやゴム等で作られている付属品は一部液面より上に出てしまう。このため、従来、取り外し可能に形成された付属品ケースの底部の一部である板部材を取り外し、哺乳瓶トレーの挿入方向後端部に取り付け、板部材と共に哺乳瓶トレーを消毒容器内に挿入して板部材が薬液上面に配置されるようにし、板部材を落し蓋として使用していた。
【０００４】
【特許文献１】特開平２００４−２４８９１８号公報
【発明の開示】
【発明が解決しようとする課題】
【０００５】
しかし、このように、付属品ケースの底部の一部を付属品の浮上防止用の板部材として使用すべく取り外し可能に形成した場合、付属品ケースの構造が複雑となる。また底部全体を一体的に形成した場合と比べ、付属品ケースとしての強度も弱くなる。また、付属品ケースの洗浄時には、その一部が底部から外れてばらばらになるため、洗浄が面倒であるという問題がある。
【０００６】
そこで、本発明は、付属品ケースの底部の一部を使用することなく、付属品の浮上を防止することが可能な哺乳瓶消毒器を提供することを目的とする。
【課題を解決するための手段】
【０００７】
本発明者らは、上記課題を解決するべく鋭意研究を重ねた結果、上述の電子レンジ消毒時に哺乳瓶を固定するために用いられる哺乳瓶固定部材と哺乳瓶固定部材が、消毒容器の内形に合わせて製造されているものであって且つ薬液消毒時には使用されていないことに気づいた。そして、これを薬液消毒時において消毒容器の内部に配置される、付属品の浮上防止部材として用いることにより、上記課題が解決することを見出し、本発明を完成するに至った。
【０００８】
すなわち、本発明の哺乳瓶消毒器（１）は、開口部（７）を横に向けた横置状態と、前記開口部（７）を上に向けた縦置状態とが選択可能な消毒容器（２）と、前記開口部（７）から前記消毒容器（２）内に挿入可能な哺乳瓶トレー（６）と、前記哺乳瓶（Ｂ）の口部に差し込まれて該哺乳瓶（Ｂ）を保持する差込部を有する哺乳瓶保持板と、を具備し、前記哺乳瓶トレー（６）の前記消毒容器（１）に対する挿入方向前端部（２３）には、前記哺乳瓶保持板（３０）を前記差込部（３２）が前記哺乳瓶トレー（６）の挿入方向後端部（２４）を向くようにして取付可能な第1の保持板取付部（２１ａ，２２ａ）が設けられ、前記哺乳瓶トレー（６）の前記挿入方向後端部（２４）には、前記消毒容器（２）の前記開口部（７）の少なくとも一部を閉じるようにして前記哺乳瓶保持板（３０）を取付可能な第２の保持板取付部（２１ｂ，２２ｂ）が設けられていることを特徴とする。
【０００９】
本発明の哺乳瓶消毒器によれば、電子レンジでの消毒時には、第１の保持板取付部に保持され、差込部に哺乳瓶を差し込んで該哺乳瓶を固定するために用いられる哺乳瓶保持手段を、薬液での消毒時には、第２の保持板取付部に保持して、付属品の浮き上がりを防止する浮上防止部材として使用することができる。
【００１０】
なお、本発明の哺乳瓶消毒器（１）の前記消毒容器（２）は、底面（４）の前記横置状態で上となる部分に、内方に向って突き出した凸部（４０）を備えてもよい。消毒容器が縦置状態のときに哺乳瓶トレーを挿入する場合、どの方向に哺乳瓶トレーを挿入するのかわかりにくく、誤った方向に挿入する可能性がある。しかし、これによると、消毒容器を横置状態にしたときに上となる部分には、底面から内方に向って突き出した凸部が設けられているため、誤った位置に挿入すると、この凸部が哺乳瓶トレーの先端に当接して哺乳瓶トレーが奥まで入らない。したがって誤った方向への挿入を防止できる。
【００１１】
更に、前記消毒容器（１）が平坦な底面（４）と、側面（４１）と、前記底面（４）と前記側面（４１）との間に設けられた湾曲面（４２）と、を備え、該湾曲面（４２）の外面の一部に平坦部（４４）が設けられ、該平坦部（４４）に水切り穴（４３）を形成してもよい。これによると、消毒容器の平坦な底面と側面との間に湾曲面が設けられているため、消毒容器の洗浄が容易となる。またその湾曲部の外面の一部に平坦部を設けてその平坦部を開口して水切り穴を形成しているため、湾曲面に穴を形成するより穴あけ加工が容易である。また、平坦部に水切り穴が形成されているため、その穴を栓部材により閉止する場合、湾曲面に栓部材をするよりも閉止しやすい。
【００１２】
また、前記水切り穴（４３）の周囲に壁部（４７）を設けてもよい。これによると、水切り穴（４３）が栓部材で閉止されている際に、使用者が誤って触れたりした場合であっても、壁部によって保護されているため、栓部材が外れる可能性が低い。
【００１３】
更に、前記開口部（７）から前記哺乳瓶トレー（６）と並ぶようにして前記消毒容器（２）内に挿入可能な付属品ケース（５）を有してもよい。これによると、電子レンジでの消毒時には、哺乳瓶の乳首やフード等の付属品を付属品ケースに入れて消毒容器に入れることができ、付属品がばらばらにならず、消毒容器内に配置しやすい。
【００１４】
なお、以上の説明では本発明の理解を容易にするために添付図面の参照符号を括弧書きにて付記したが、それにより本発明が図示の形態に限定されるものではない。
【発明の効果】
【００１５】
以上、説明したように、本発明の哺乳瓶消毒器によれば、電子レンジでの消毒時において哺乳瓶を差し込んで固定する哺乳瓶保持板を、薬液消毒時において哺乳瓶やその付属品の浮上防止のために使用する。この哺乳瓶保持板は、本来、消毒容器内部に配置されるものであるので、浮上防止に使用可能とする場合にも形状を大きく変更する必要ない。また、この哺乳瓶保持板が浮上防止に使用されるので、付属品ケースの底部を浮上防止に使用する必要がない。したがって付属品ケースの構造を複雑化する必要がなく、製造コストを低減することができ、付属品ケースの強度も維持されるため、消毒器全体としての耐久性も向上することができる。
【発明を実施するための最良の形態】
【００１６】
図１は、本発明の一形態の哺乳瓶消毒器１を示した図である。この哺乳瓶消毒器１は、電子レンジでの消毒及び薬液消毒の両方で使用可能であり、消毒容器２と容器蓋体３とを備える。図１は、電子レンジでの消毒時における横置状態を示しており、一方、薬液での消毒時において哺乳瓶消毒器１は、後述するように消毒容器２の底面４を下にした縦置状態で使用される。
【００１７】
図２は、図１の哺乳瓶消毒器１の容器蓋体３を開いて、図１の矢印ＩＩの方向からみた図である。図示したように哺乳瓶消毒器１は、更に、消毒容器２内部に収容される付属品ケース５と、哺乳瓶トレー６とを備える。図２は内部に２つの哺乳瓶Ｂが収容された状態を示している。なお、消毒容器２、容器蓋体３、付属品ケース５及び哺乳瓶トレー６は、電子レンジによる加熱に耐え、消毒に用いる薬液に耐性を有し、成形性に優れた丈夫な材質である、例えば、例えばＰＰ（ポリプロピレン）等で形成することが好ましい。
【００１８】
付属品ケース５は、哺乳瓶Ｂに固定される乳首とこれに被せるフード等の付属品を収容するためのケースであって、所定の深さを有するケース本体１０と、当該ケース本体１０に対して開閉自在なケース蓋体１１とを備える。なお、図２はケース蓋体１１を下にして消毒容器２内に収納した状態を示し、図３は内部にフードＦが載置された状態の付属品ケース５の断面図である。図示したように、内部空間を形成する壁面１３の一部である、ケース蓋体１１の上面１３ａの中央部には、付属品ケース５の内部空間が拡大するように外方に隆起した隆起部１２が設けられている。この隆起部１２は、図２に示したように、付属品ケース５を哺乳瓶Ｂとともに消毒容器２に配置した際に、並置された哺乳瓶Ｂと哺乳瓶Ｂとの間に向って延びるようになっている。
【００１９】
図４は、付属品ケース５の内部空間を形成する壁面１３の一部である、ケース本体１０の底面１３ｂを示した図である。ケース本体１０の底面１３ｂには、様々な形状の複数の蒸気穴１４が設けられている。そして、この蒸気穴１４は、付属品ケース５内に配置される付属品である乳首やフードの下部の輪郭に合わせて丸く集合され、蒸気穴群１５ａ〜ｄを形成している。
【００２０】
図５は、横置状態での消毒容器２の長手方向断面図であり、消毒容器２の下部には、哺乳瓶トレー６が配置されている。図６はその哺乳瓶トレー６の斜視図である。図示したように、哺乳瓶トレー６は、消毒対象である哺乳瓶Ｂを載置し、かつ電子レンジ加熱においてスチームを発生させるための少量の水を貯留することのできる矩形の浅い皿状体である。また哺乳瓶トレー６を図５のように消毒容器２内に挿入する際の、消毒容器２に対する挿入方向前端部２３には、第１の保持板取付部として垂直に突き出た対の突出部２１ａ及びその間に形成されたスリット２２ａが２組ずつ設けられており、哺乳瓶トレーの挿入方向後端部２４には、同様に垂直に突き出た対の突出部２１ｂ及びその間に形成されたスリット２２ｂが２組ずつ第２の保持板取付部として、設けられている。
【００２１】
図５において挿入方向前端部２３のスリット２２ａには哺乳瓶保持板３０が挟まれている。この哺乳瓶保持板３０は、図７で示すような矩形の板材であって、２つの円形の穴３１が設けられている。そしてその穴３１が設けられた部分の一面側には、穴３１と同軸かつ消毒対象の哺乳瓶の瓶口内径よりも小さな外径を備える円筒部材３２が差込部として設けられている。また哺乳瓶保持板３０の他面側には複数箇所、脚部３３が設けられ、更に２つの通気穴３５も設けられている。なお、この哺乳瓶保持板３０は、後述する薬液消毒時には、図８で示したように挿入方向後端部２４のスリット２２ｂに挿入され、縦置き状態の消毒容器２の上部に配置される。
【００２２】
図１に戻り、消毒容器２について説明する。消毒容器２は、底面４に比べて容器蓋部３が取り付けられた開口部７の断面がわずかに大きな直方体形状をなし、横置状態で全体として電子レンジ（不図示）のターンテーブル内に収まる大きさとなっている。また、丸みを帯びた略矩形の底面４の横置状態で上となる部分には凸部４０が形成されている。この凸部４０は、図９に示したように、消毒容器２の内方に突き出しており、消毒容器２が縦置状態のときに哺乳瓶トレー６を挿入する場合、図９において左側に示す誤った位置Ｅに挿入すると、哺乳瓶トレー６の先端が凸部４０に当たり、哺乳瓶トレー６が奥まで入らず、容器本体２内部に収まらないようになっている。一方、正しい位置Ｃに挿入した場合、哺乳瓶トレー６は容器本体２にぴったりと収納される。
【００２３】
再度、図１に戻ると、消毒容器２の底面４の外縁部は滑らかに湾曲して湾曲面４２を経た後、側面４１へと移行している。そして、その湾曲面４２の一部には平坦部４４が設けられており、その平坦部４４に円形の水切り穴４３が形成されている。その平坦部４４から更に延びた側面４１には、もう一つの穴４５が開口されている。この水切り穴４３は、電子レンジ使用時には通気口としても機能し、一方、薬液使用時には、図１０で示した栓部材４６によって穴４５とともに閉鎖され、薬液消毒終了時には、その栓部材４６を取り外すことによって薬液が排出される。また、湾曲面４２の穴の周りに設けられた平坦部４４の、図１の横置状態においての上下となる位置には、消毒容器２の湾曲面４２から一体的に延びた壁部４７が設けられ、水切り穴４３の周囲を保護している。
【００２４】
更に、消毒容器２の開口部７に向って延びる側面４１には把持部４８が設けられ、消毒容器２を移動する際にはこの把持部４８を持つことができるようになっている。
【００２５】
そして、消毒容器２の開口部７には図１に示したようにヒンジ部により消毒容器２に対して開閉可能に容器蓋体３が連結されている。
【００２６】
次に、哺乳瓶消毒器１の電子レンジでの消毒方法について説明する。まず、図１のように消毒容器２を横置状態にする。そして、付属品ケース５に予め洗浄を済ませた乳首とフードとを設置する。この場合、図４で示したケース本体１０の底面３に設けられた蒸気穴群１５a及び１５ｂの部分には背の高いフードを置き、蒸気穴群１５ｃ及び１５ｄの部分には、背の低い乳首を配置する。このように蒸気穴１４に蒸気穴群１５ａ〜１５ｄとして集合された部分が存在するため、その蒸気穴群１５ａ〜１５ｄが付属品を配置する際の目印となり、所定場所への設置が容易になる。そして図３に示したようにケース本体１０にケース蓋体１１を被せるが、この場合蒸気穴群１５ａ及び１５ｂに配置された背の高いフードＦには隆起部１２がかぶさるため、フードＦによってケース蓋体１１が閉まらなくなるようなことがなく、背の高いフードも収納することができる。
【００２７】
次いで、図５に示したように、挿入方向前端部２３のスリット２２に、円筒部材３２が内側を向くようにして哺乳瓶保持板３０を挟む。そして哺乳瓶Ｂの口部を円筒部材３２に挿入して哺乳瓶トレー６に哺乳瓶Ｂを設置し、哺乳瓶トレー６と哺乳瓶Ｂとを消毒容器２に挿入する。この場合、消毒容器２の底面４に凸部４０が設けられているため、図９で示したように哺乳瓶トレー６を誤った位置Ｅに挿入すると、この凸部が哺乳瓶トレーの先端に当接して哺乳瓶トレーが奥まで入らない。したがって誤った位置Ｅへの哺乳瓶トレー６の挿入を防止できる。
【００２８】
そして、所定位置まで哺乳瓶トレー６を挿入した後、哺乳瓶トレー６に少量の水を注入し、図２及び図５に示したように哺乳瓶Ｂと哺乳瓶Ｂとの隙間に隆起部１２が収まるようにして付属品ケース５を消毒容器２内に挿入する。この場合、哺乳瓶Ｂ間に隆起部１２が挿入されるため、背の高いフードＦが収納されている付属品ケース５であっても、容器本体２内に収納することができる。また、隆起部１２が、哺乳瓶Ｂ間に配置されるため、哺乳瓶Ｂの移動が更に防止される。
【００２９】
そして容器蓋体３を閉め、電子レンジ（不図示）内に収容し、哺乳瓶消毒器１を所定時間加熱する。内部に収容された哺乳瓶Ｂや付属品は電子レンジのマイクロ波により加熱消毒されると共に、哺乳瓶トレー６に入れた水が加熱されて蒸気が発生し、この蒸気によるスチーム消毒がなされる。この場合、図５に示したように、脚部３３によって底面４と哺乳瓶保持板３０との間に一定の間隔が保たれ、蒸気の通り道が確保され、穴３１を通して哺乳瓶Ｂの中への蒸気の流入が確保されるため、哺乳瓶Ｂ内の消毒も効率よくなされる。また、付属品ケース５内には、蒸気穴１４から蒸気が入り込むが、特に、乳首やフード内部には蒸気穴群１５ａ〜ｄより多くの蒸気が入り込むため、内部がより良好に消毒される。
【００３０】
消毒後、電子レンジから取り出し、水切り穴４３から余分な湯を排水する。そして更に水を切るために図５に示した状態のまま、縦置状態にして保管する。この場合においても、哺乳瓶Ｂは円筒部材３２や付属品ケース５の隆起部１２によって固定されているため、哺乳瓶Ｂがずれることはない。また。哺乳瓶保持板３０の穴３１及び通気穴３５によって水切りなされるため、哺乳瓶Ｂの口部に水が溜まるがことがない。
【００３１】
次に、薬液による消毒方法について説明する。まず、消毒容器２の水抜き穴４３を図１０で示した栓部材４６で塞ぐ。この際、図１で示したように水抜き穴４３の周囲に平坦部４４が設けられていることにより栓部材４６が消毒容器２に対して良好に密着するため、水抜き穴４３を閉止しやすく、密着性能が良い。そして消毒容器２を図８で示したように縦置状態にする。消毒容器２内に、例えば市販の次亜塩素酸ナトリウム等の薬液を入れ、その中に哺乳瓶Ｂ及び付属品を入れる。図示した形態では付属品は付属品ケース５に入られていないが、付属品ケース５に入れて薬液洗浄することもできる。次いで、哺乳瓶トレー６の上部のスリット２２に哺乳瓶保持板３０を挟んで消毒容器２内に入れる。この場合、哺乳瓶保持板３０が浮上防止部材となって、例えば乳首ＮやフードＦ等、またプラスチック製の哺乳瓶といった薬液より比重の軽い物品が液面より上昇するのが防止され、図示したようにこれらの物品が薬液中に完全に浸漬される。この状態で容器蓋体３を閉め、例えば１時間ほど浸漬し消毒をする。この間、容器本体２内部に薬液が入っているが、図１で示したように水切り穴４３に取り付けた栓部材４６の周囲には壁部４７が設けられているため、栓部材４６が保護され、例えば使用者が誤って栓部材４６に誤って触れることによって栓部材４６が外れてしまう可能性が低い。そして所定時間経過後、市販のハサミ等の治具で哺乳瓶Ｂや付属品を取り出し、栓部材４６を取り外して水切り穴４３より薬液を流出する。
【００３２】
以上、本発明の一形態によると、哺乳瓶消毒容器１を大きくしなくとも、付属品ケースの内部空間が広がるため、背の高いフードを収容することができる。また、哺乳瓶Ｂ間に隆起部が挿入されるため、哺乳瓶消毒容器１をコンパクトにすることができる。更に、哺乳瓶Ｂ間に隆起部１２が挿入されるため消毒容器２内での哺乳瓶Ｂの転がり等を抑えることができ、哺乳瓶Ｂに傷がついたり、ぶつかって破損したりする可能性が低減する。
【００３３】
また、電子レンジでの消毒時において哺乳瓶Ｂを差し込んで移動を防止する哺乳瓶保持板３０を、薬液消毒時には、哺乳瓶Ｂやその付属品の浮き上がりを防止する浮上防止手段として利用するため、例えば付属品ケースの底面を浮上防止手段として使用する必要がなく、また別途新たな物品を哺乳瓶消毒器として加える必要がない。
【００３４】
以上、本発明の好適な形態について説明したが、本発明は、上述した形態に限定されることなく、種々の形態にて実施してよい。例えば、本形態では哺乳瓶Ｂを２つ収納する哺乳瓶消毒器について説明したが、これに限定されず、電子レンジ内に収納可能であれば、例えば哺乳瓶Ｂを３本収納する形であってもよく、哺乳瓶を３本収納する場合、隆起部は２つ設けられる。また、第１の保持板取付部及び第２の保持板取付部の突出部は、本形態では各々２対ずつ設けたが、これに限定されず、１対ずつでもよく、また３対以上でもよい。
【図面の簡単な説明】
【００３５】
【図１】本発明の一形態の哺乳瓶消毒器を示した図。
【図２】図１の哺乳瓶消毒器の容器蓋体を開いて上方からみた図。
【図３】内部にフードが載置された状態の付属品ケースの断面図。
【図４】ケース本体の底面図。
【図５】横置状態での消毒容器の長手方向断面図。
【図６】哺乳瓶トレーの斜視図。
【図７】哺乳瓶保持板の斜視図。
【図８】薬液消毒時の縦置状態にされた消毒容器を示した図。
【図９】消毒容器内に、哺乳瓶トレーを正常に配置場合と、誤って配置した場合とを示した図。
【図１０】栓部材の斜視図。
【符号の説明】
【００３６】
１  哺乳瓶消毒器
２  消毒容器
３  容器蓋体
４  底面
５  付属品ケース
６  哺乳瓶トレー
２１ａ  板状体（第１の保持板取付部）
２１ｂ  板状体（第２の保持板取付部）
２２ａ  スリット（第１の保持板取付部）
２２ｂ  スリット（第２の保持板取付部）
２３  挿入方向前端部
２４  挿入方向後端部
３０  哺乳瓶保持板
３２  円筒部材（差込部）
４０  凸部
４１  側面
４２  湾曲面
４３  水切り穴
４４  平坦部
４７  壁部
【図１】
2007061452.tif 000003
【図２】
2007061452.tif 000004
【図３】
2007061452.tif 000005
【図４】
2007061452.tif 000006
【図５】
2007061452.tif 000007
【図６】
2007061452.tif 000008
【図７】
2007061452.tif 000009
【図８】
2007061452.tif 000010
【図９】
2007061452.tif 000011
【図１０】
2007061452.tif 000012